(57)【要約】      （修正有）【課題】改竄防止対策がなされており、かつ開封性が良好で、再閉扉も可能な包装箱を提供する。【解決手段】中空の六面体形状の包装箱であって、上面部１４は、左右一対の側面板１２ａ，１２ｂの上端部に各々連接された上面サイドフラップ１７ａ，１７ｂが内側に折り込まれていると共に、一方の正面板１１ａの上端部に連接された上面メインフラップ１８が折り重ねられており、上面メインフラップ１８の先端部に連接された差込みフラップ１８ａが他方の正面板１１ｂの上端部分の内側に差し込まれており、互いに重なる上面サイドフラップ１７ａ，１７ｂのうち、上側に重ねられている一方の上面サイドフラップ１７ｂに折曲線を介して連接され、他方の上面サイドフラップ１７ａの折曲線１６ａよりも突出し、側面板１２ａに及ぶ第１上部固着片２１が設けられており、第１上部固着片２１は、側面板１２ａに接着されている包装箱。【選択図】図１
2017190187.tif 000002
【特許請求の範囲】
【請求項１】
前後一対の正面板と左右一対の側面板と上面部と下面部とを備え、中空の六面体形状の包装箱であって、
前記上面部は、前記左右一対の側面板の上端部に折曲線を介して各々連接された上面サイドフラップが内側に互いに重なるように折り込まれていると共に、一方の正面板の上端部に折曲線を介して連接された上面メインフラップが折り重ねられており、前記上面メインフラップの先端部に折曲線を介して連接された差込みフラップが他方の正面板の上端部分の内側に差し込まれており、
互いに重なる前記上面サイドフラップのうち、上側に重ねられている一方の前記上面サイドフラップに折曲線を介して連接され、他方の前記上面サイドフラップの折曲線よりも突出し、他方の前記上面サイドフラップが連接された前記側面板に及ぶ第１上部固着片が設けられており、
前記第１上部固着片は、前記側面板に接着されている包装箱。
【請求項２】
上側に重ねられている前記上面サイドフラップには、前記第１上部固着片の折曲線を囲む第１上部易破断線が設けられ、前記第１上部易破断線の両端部が前記上面サイドフラップの前記第１上部固着片が設けられた端縁に接続する又は前記第１上部易破断線の両端部が前記上面サイドフラップの前記第１上部固着片が設けられた端縁と正面板側の端縁に接続する請求項１に記載の包装箱。
【請求項３】
前記上面メインフラップには、前記第１上部易破断線と対応する上面易破断線が設けられ、前記上面易破断線の両端部が前記上面メインフラップの側縁部に接続する又は前記上面易破断線の両端部が前記上面サイドフラップの差込みフラップの折曲線と側縁部に接続する、請求項２に記載の包装箱。
【請求項４】
前記上面メインフラップの側縁部には、折曲線を介して側方に突出する第２上部固着片が設けられており、
前記第２上部固着片は、前記上面部が形成された状態で、前記第１上部固着片と共に前記側面板に接着されている請求項１〜３のいずれか１項に記載の包装箱。
【請求項５】
前記下面部は、前記左右一対の側面板の下端部に折曲線を介して各々連接された下面サイドフラップが内側に互いに重なるように折り込まれていると共に、一方の正面板の下端部に折曲線を介して連接された下面メインフラップが折り重ねられており、前記下面メインフラップの先端部に折曲線を介して連接された差込みフラップが他方の正面板の下端部分の内側に差し込まれており、
互いに重なる前記下面サイドフラップのうち、上側に重ねられている一方の前記下面サイドフラップに折曲線を介して連接され、他方の前記下面サイドフラップの折曲線よりも突出し、他方の前記下面サイドフラップが連接された前記側面板に及ぶ第１上部固着片が設けられており、
前記下部固着片は、前記側面板に接着されている請求項１〜４のいずれか１項に記載の包装箱。
【請求項６】
前記他方の正面板から上方に立設して、看板部が設けられている請求項１〜５のいずれか１項に記載の包装箱。
【発明の詳細な説明】
【技術分野】
【０００１】
本発明は、包装箱に関し、特に、中空の六面体形状を備える包装箱に関する。
【背景技術】
【０００２】
化粧品類、薬品類、菓子類、文房具類や、その他の物品を収容する包装箱として、所定の形状に裁断された紙製又はプラスチック製の薄板状のシート材料であるブランクを、折曲線に沿って折り曲げることで立体形状に組み立てたものが多用されている。ブランクを用いた包装箱は、一般に、前後一対の正面板や左右一対の側面板を含む矩形断面の筒状本体の内部に物品を収容すると共に、先端部に差し込みフラップ片を連接した蓋フラップ片によって筒状本体の上下の開口部を覆うことで、上面部や下面部を形成して、六面体形状に組み立てられる。
【０００３】
これらの包装箱では、一度開封した後に、物品を収容して再び封止した際に、開封する前と同じ状態に容易に復元できると、いたずら等によって収容した物品が改竄されるおそれがあることから、既に開封されたものであることが一見して判別できるようにした、改竄防止機能を備える包装箱も種々開発されている。
【０００４】
改竄防止対策が施された包装箱においては、包装箱に開封するための破断線を設けることで、開封されたことが視認でき、かつ開封しやすいものであったが、開封前でも破断線が見えてしまうため、箱としての美観が損なわれていた。
例えば、改竄防止対策として、上面に破断線がある改竄防止対策が施された包装箱もあるが（例えば、特許文献１参照）、固着片の接着していない側面板部に連設している折込み片と上面板部との間から収容されている物品を抜き取られる虞があり、使用中の商品の保護などの目的としては十分ではないという問題がある。さらに、側方に固着片を設け改竄防止機能を付与した包装箱の提案もあり（例えば、特許文献２参照）、改竄は困難となっているものの、やはり固着片の接着していない側面板に連設している上面サイドフラップと上面メインフラップとの間から包装箱を変形させながら隙間から指を入れることができる可能性は残された状態であった。
また、改竄防止対策として、メインフラップの差込片を接着する方法もあるが（例えば、特許文献３参照）、専用の装置が必要であり、工数がかかるという問題がある。
【先行技術文献】
【特許文献】
【０００５】
【特許文献１】特開２０１０−２４７８８５号公報
【特許文献２】特開２０１３−２３０８５５号公報
【特許文献３】実開昭６１−１４６２２１号公報
【発明の概要】
【発明が解決しようとする課題】
【０００６】
本発明は、上記問題に鑑みて工夫されたもので、改竄防止対策がなされており、専用の装置が不要で作業性に優れ、かつ開封性が良好で、再閉扉も可能な包装箱を提供することを課題とする。
【課題を解決するための手段】
【０００７】
本発明は、前後一対の正面板と左右一対の側面板と上面部と下面部とを備え、中空の六面体形状の包装箱であって、前記上面部は、前記左右一対の側面板の上端部に折曲線を介して各々連接された上面サイドフラップが内側に互いに重なるように折り込まれていると共に、一方の正面板の上端部に折曲線を介して連接された上面メインフラップが折り重ねられており、前記上面メインフラップの先端部に折曲線を介して連接された差込みフラップが他方の正面板の上端部分の内側に差し込まれており、互いに重なる前記上面サイドフラップのうち、上側に重ねられている一方の前記上面サイドフラップに折曲線を介して接続され、他方の前記上面サイドフラップの折曲線よりも突出し、他方の前記上面サイドフラップが連接された前記側面板に及ぶ第１上部固着片が設けられており、前記第１上部固着片は、前記側面板に接着されている包装箱を提供することにより、上記目的を達成したものである。
【発明の効果】
【０００８】
本発明により、改竄防止対策がなされており、専用の装置が不要で作業性に優れ、かつ開封性が良好で、再閉扉も可能な包装箱を提供することができる。
【図面の簡単な説明】
【０００９】
【図１】第１の実施の形態に係る包装箱の模式的外観図（その１）である。
【図２】第１の実施の形態に係る包装箱の模式的外観図（その２）である。
【図３】第１の実施の形態に係る包装箱を形成するためのブランクの展開図である。
【図４】第１の実施の形態の変形例に係る包装箱の模式的外観図（その１）である。
【図５】第１の実施の形態の変形例に係る包装箱の模式的外観図（その２）である。
【図６】第１の実施の形態の変形例に係る包装箱を形成するためのブランクの展開図である。
【図７】第２の実施の形態に係る包装箱の模式的外観図（その１）である。
【図８】第２の実施の形態に係る包装箱の模式的外観図（その２）である。
【図９】実施形態に係る第１上部固着片の具体例を示す模式図（その１）である。
【図１０】実施形態に係る第１上部固着片の具体例を示す模式図（その２）である。
【図１１】実施形態に係る第１上部固着片の具体例を示す模式図（その３）である。
【図１２】実施形態に係る第１上部固着片、第２上部固着片およびエンボス部分の関係示す模式図である。
【図１３】実施形態に係るエンボス部分の具体例を示す模式図である。
【図１４】第２の実施の形態に係る包装箱を形成するためのブランクの展開図である。
【図１５】第３の実施の形態に係る包装箱の模式的外観図（その１）である。
【図１６】第３の実施の形態に係る包装箱の模式的外観図（その２）である。
【図１７】第３の実施の形態に係る包装箱を形成するためのブランクの展開図である。
【図１８】第３の実施の形態の変形例に係る包装箱の模式的外観図（その１）である。
【図１９】第３の実施の形態の変形例に係る包装箱の模式的外観図（その２）である。
【図２０】第３の実施の形態の変形例に係る包装箱を形成するためのブランクの展開図である。
【図２１】第４の実施の形態に係る包装箱の模式的外観図（その１）である。
【図２２】第４の実施の形態に係る包装箱の模式的外観図（その２）である。
【図２３】第４の実施の形態に係る包装箱を形成するためのブランクの展開図である。
【図２４】その他の実施の形態に係る包装箱の模式的外観図（その１）である。
【図２５】その他の実施の形態に係る包装箱を形成するためのブランクの展開図である。
【図２６】その他の実施形態に係る第１上部固着片の具体例を示す模式図である。
【図２７】その他の実施の形態に係る包装箱の模式的外観図（その２）である。
【発明を実施するための形態】
【００１０】
（第１の実施の形態）
本発明の第１の実施の形態に係る包装箱１０は、図１又は図２に示すように、前後一対の正面板１１ａ，１１ｂと左右一対の側面板１２ａ，１２ｂと上面部１４と下面部１５とを備え、中空の六面体形状の包装箱であって、上面部１４は、左右一対の側面板１２ａ，１２ｂの上端部に折曲線１６ａを介して各々連接された上面サイドフラップ１７ａ，１７ｂが内側に互いに重なるように折り込まれていると共に、一方の正面板１１ａの上端部に折曲線１６ｂを介して連接された上面メインフラップ１８が折り重ねられており、上面メインフラップ１８の先端部に折曲線１６ｃを介して連接された差込みフラップ１８ａが他方の正面板１１ｂの上端部分の内側に差し込まれており、互いに重なる上面サイドフラップ１７ａ，１７ｂのうち、上側に重ねられている一方の上面サイドフラップ１７ｂに折曲線を介して連接され、他方の上面サイドフラップ１７ａの折曲線１６ａよりも突出し、他方の前記上面サイドフラップが連接された前記側面板に及ぶ第１上部固着片２１が設けられており、第１上部固着片２１は、側面板１２ａに接着されている。
【００１１】
図１に示す発明の好ましい一実施形態に係る包装箱１０は、例えば、化粧品類、薬品類、菓子類、文房具類等の物品を梱包して、製品化される。また、本実施形態の包装箱１０は、前後一対の正面板１１ａ，１１ｂと、左右一対の側面板１２ａ，１２ｂとからなる筒状本体１３の下端部の開口を、下面メインフラップ２６（図３参照）等によって形成される下面部１５によって閉塞してから、筒状本体１３の内部に物品を、筒状本体１３の上端部の開口を介して収容する。しかる後に、筒状本体１３の上端部の開口を、上面メインフラップ１８（図３参照）等によって形成される上面部１４によって閉塞することによって、内部に物品を収容した中空の六面体形状に組み立てられる。
【００１２】
本実施形態では、上側に重ねられている上面サイドフラップ１７ｂには、第１上部固着片２１の折曲線１６ｄを囲む第１上部易破断線２２が設けられ、第１上部易破断線２２の両端部２２ａ，２２ｂが上面サイドフラップの第１上部固着片２１が設けられた端縁に接続する又は第１上部易破断線２２の両端部２２ａ，２２ｂが上面サイドフラップの第１上部固着片２１が設けられた端縁と正面板１１ｂ側の端縁に接続することが好ましい。
包装箱１０に第１上部易破断線２２が設けられていることによって、開封時に第１上部易破断線２２に沿って破断させることで、初めて開封することができ、かつ開封作業を容易にすることができる。そして、第１上部易破断線２２が破断された結果により、包装箱１０が開封されたことが認識できる。
また、包装箱１０は、一度開封した後も、上面部１４を開閉して、収容された物品をスムーズに出し入れできるようになっており、また第１上部易破断線２２を破断させた部分は、看板部３７の連接部付近にあり看板部３７を正面から見た場合に、外観上目立たない位置に形成されている。
【００１３】
本実施形態の包装箱１０は、図３に示すような、例えば一枚の紙製のブランク２３を用いて形成される。ブランク２３は、六面体形状の包装箱１０を展開した所定の形状となるように、例えば薄板状の紙製のシート材料を打ち抜いて裁断することで容易に得ることができる。ブランク２３は、側縁部を把持して片持ち状に水平に延設させた場合でも、折れ曲がることなく滑らかに湾曲した状態を容易に保持できる程度の保形剛性及び弾性を備えると共に、手の力で容易に折り曲げることができる程度の変形性を備える。
【００１４】
また、ブランク２３には、例えば罫線等からなる折曲線１６ａ，１６ｂ，１６ｃ，１６ｄ，１６ｅ，１６ｆ，１６ｇ，１６ｈ及び縦方向折曲線２４、ミシン目加工等からなる第１上部易破断線２２並びに全切れ線等からなる切込み２７が、適宜の位置に設けられていることで、ブランク２３から包装箱１０を、六面体形状となるように容易に組み立てることができる。
【００１５】
本実施形態では、裁断された図３に示すブランク２３において、展開図の左側には、例えば、矩形の一方の正面板１１ａが配置されている。一方の正面板１１ａの右側には、縦方向折曲線２４を介して、矩形の一方の側面板１２ａが連接している。一方の側面板１２ａの右側には、縦方向折曲線２４を介して、矩形の他方の正面板１１ｂが連接している。他方の正面板１１ｂのさらに右側には、縦方向折曲線２４を介して、矩形の他方の側面板１２ｂが連接している。また、一方の正面板１１ａの左側には、縦方向折曲線２４を介して、例えば一方の正面板１１ａと同様の縦幅を備えると共に、接合可能な横幅を備える接着接合片２５が側方に張り出して連接している。
【００１６】
一方の正面板１１ａの上方には、折曲線１６ｂを介して、略正方形の上面メインフラップ１８が連接している。上面メインフラップ１８の上方には、折曲線１６ｃを介して、例えば上面メインフラップ１８と同様の横幅を備えると共に、差し込み可能な縦幅を備える差込みフラップ１８ａが上方に張り出して連接している。上面メインフラップ１８と差込みフラップ１８ａとの間の折曲線１６ｃの両端部分には、後述する上面サイドフラップ１７ａ，１７ｂの基端部に設けられたロック片２９との間で公知のロック機構を構成する、ロック用切込み２７が形成されている。
【００１７】
一方の正面板１１ａの下方には、折曲線１６ｅを介して、略正方形の下面メインフラップ２６が連接している。下面メインフラップ２６の下方には、折曲線１６ｆを介して、例えば下面メインフラップ２６と同様の横幅を備えると共に、差し込み可能な縦幅を備える差込みフラップ２６ａが下方に張り出して連接している。下面メインフラップ２６と差込みフラップ２６ａとの間の折曲線１６ｆの両端部分には、後述する下面サイドフラップ２８ａ，２８ｂの基端部に設けられたロック片２９との間で公知のロック機構を構成する、ロック用切込み２７が形成されている。
【００１８】
一方の側面板１２ａの上方には、折曲線１６ａを介して、略直角台形の形状を備える一方の上面サイドフラップ１７ａが連接している。
さらに、本実施形態では、一方の上面サイドフラップ１７ａの、斜辺部となった他方の正面板１１ｂ側の側縁部の基端部には、上面メインフラップ１８に形成されたロック用切込み２７との間で公知のロック機構を構成するロック片２９が、外側に突出して設けられている。
【００１９】
一方の側面板１２ａの下方には、折曲線１６ｈを介して、略直角台形の形状を備える一方の下面サイドフラップ２８ａが連接している。
さらに、本実施形態では、一方の下面サイドフラップ２８ａの、斜辺部となった他方の正面板１１ｂ側の側縁部の基端部には、下面メインフラップ２６に形成されたロック用切込み２７との間で公知のロック機構を構成するロック片２９が、外側に突出して設けられている。
【００２０】
他方の正面板１１ｂの上方には、境界線３６を介して、略横長矩形の看板部３７が連接して設けられている。看板部３７は、境界線３６を折り曲げることなく、他方の正面板１１ｂと略面一になった状態を保持して、中空の六面体形状の包装箱１０が組み立てられた際に、他方の正面板１１ｂから上方に立設して設けられた、当該看板部３７を形成する（図１参照）。境界線３６は、罫線等からなる折曲線であってもよく、正面板１１ｂと看板部３７との単なる境界であり罫線等がなくてもよい。
【００２１】
他方の側面板１２ｂの上方には、折曲線１６ａを介して、上面メインフラップ１８の長さ（折曲線１６ｂから折曲線１６ｃまでの距離）と略同長である他方の上面サイドフラップ１７ｂが連接している。上面サイドフラップ１７ｂが、上面メインフラップ１８の長さと略同長であることにより、包装箱１０が閉塞されている状態で、上面メインフラップ１８の側縁部から、指を入れる等して収容された物品が無理やり取り出される等の悪戯を効果的に回避することが可能になる。
本実施形態では、上面サイドフラップ１７ｂの一端部（例えば、折曲線１６ａと対向する端部）から突出した第１上部固着片２１が、折曲線１６ｄを介して連接して設けられている。第１上部固着片２１は、例えば略直角台形の形状を備えている。折曲線１６ｄは、第１上部固着片２１を切り離すためのミシン目加工が施された易破断線であってもよい。
上面サイドフラップ１７ｂには、第１上部固着片２１の折曲線１６ｄを囲む、例えば、ミシン目等からなる第１上部易破断線２２が設けられている。上面サイドフラップ１７ｂの上端部と側縁部に、両端部２２ａ，２２ｂが接続する第１上部易破断線２２は、本実施形態では、例えば、楕円形を半分にしたような形状の破断部２０ａを形成するように、これの外周に沿って設けられている。破断部２０ａは、上面サイドフラップ１７ｂの開封性を良好にするために、指の先端部が収まる大きさであることが好ましく、例えば、縦幅が１５ｍｍ程度、横幅が３５ｍｍ程度の大きさであることが好ましい。また、本実施形態では、第１上部易破断線２２によって周囲を囲まれる破断部２０ａは、上面メインフラップ１８の差込みフラップ１８ａが内側に差し込まれる、他方の正面板１１ｂに近接する部分に設けられている。第１上部易破断線２２が、他方の正面板１１ｂに近接する部分に設けられていることにより、第１上部易破断線２２を破断させて上面サイドフラップ１７ｂを開封する操作を、スムーズに行うことが可能になる。また、包装箱１０において剛性が高くなっている角部分に第１上部易破断線２２及び破断部２０ａが配設されるので、包装箱１０が比較的薄いブランク２３によって形成された場合であっても、撓んでしまうことなく、第１上部易破断線２２に沿って破ることが容易となる。
【００２２】
他方の側面板１２ｂの下方には、折曲線１６ｈを介して、略直角台形の形状を備える他方の下面サイドフラップ２８ｂが連接している。また、他方の下面サイドフラップ２８ｂの、斜辺部となった他方の正面板１１ｂ側の側縁部の基端部には、下面メインフラップ２６に形成されたロック用切込み２７との間で公知のロック機構を構成するロック片２９が、外側に突出して設けられている。
【００２３】
本実施形態では、包装箱１０は、上述のブランク２３を用いて、好ましくは公知の封緘装置（製箱機）を使用した簡単な工程によって、物品を収容した立体形状に容易に組み立てることができる。すなわち、例えば一方の正面板１１ａの左側に連接する接着接合片２５に接着剤を塗着した後に、接着剤を介して接着接合片２５を、他方の側面板１２ｂの側縁部に沿った内側面に接合することで、図２に示すように、各縦方向折曲線２４に沿って折り曲げられた前後一対の正面板１１ａ，１１ｂと左右一対の側面板１２ａ，１２ｂとからなる、矩形中空の断面形状を有する筒状本体１３が形成される。
【００２４】
筒状本体１３を形成したら、これの下端部の開口を、一対の下面サイドフラップ２８ａ，２８ｂと下面メインフラップ２６とを用いて閉塞する。すなわち、一対の側面板１２ａ，１２ｂの下方に各々連接する両側の下面サイドフラップ２８ａ，２８ｂを、折曲線１６ｈを介して内側に折り曲げると共に、これらの下面サイドフラップ２８ａ，２８ｂの上に下方から折り重ねるようにして、下面メインフラップ２６を、折曲線１６ｅを介して内側に折り曲げる。また下面メインフラップ２６の先端に折曲線１６ｆを介して連接する差込みフラップ２６ａを、他方の正面板１１ｂの下端部分の内側面に沿って差し込むと共に、折曲線１６ｆの両端部に形成されたロック用切込み２７を、一対の下面サイドフラップ２８ａ，２８ｂの基端部に形成されたロック片２９に各々係止する。これによって、筒状本体１３の下端部の開口を、一対の下面サイドフラップ２８ａ，２８ｂ及び下面メインフラップ２６からなる下面部１５で覆って閉塞する。
【００２５】
筒状本体１３の下端部の開口を閉塞したら、筒状本体１３の内部に物品を収容する。すなわち、本実施形態では、物品として、例えば化粧料を充填収容した円筒形状の化粧品用の容器を、これの底部側から上端部の開口を介して、筒状本体１３の内部にぴったりと納まるように挿入配置する。
【００２６】
下面部１５を閉塞した筒状本体１３の内部に物品を収容したら、筒状本体１３の上端部の開口を、一対の上面サイドフラップ１７ａ，１７ｂと上面メインフラップ１８とを用いて閉塞する。具体的には、側面板１２ａの上方に連接する上面サイドフラップ１７ａを、折曲線１６ａを介して内側に折り曲げ、その後に、側面板１２ｂの上方に連接する上面サイドフラップ１７ｂを、折曲線１６ａを介して内側に折り曲げる。そして、上面サイドフラップ１７ａ，１７ｂの上に上方から折り重ねるようにして、上面メインフラップ１８を、折曲線１６ｂを介して内側に折り曲げる。また上面メインフラップ１８の先端に折曲線１６ｃを介して連接する差込みフラップ１８ａを、他方の正面板１１ｂの上端部分の内側面に沿って差し込んで、一対の上面サイドフラップ１７ａ，１７ｂの基端部に形成されたロック片２９に各々係止する。そして、上面サイドフラップ１７ｂに連接する第１上部固着片２１の接着面である一面に接着剤を塗着した後に、第１上部固着片２１を、折曲線１６ｄを介して折り曲げ、第１上部固着片２１を側面板１２ａに接着する。
なお、第１上部固着片２１及び側面板１２ａの少なくとも１つの接着面に対して、ミシン目加工等を施して接着面の表面を荒らすことが好ましい。接着面を荒らすことで接着面積が増加し、第１上部固着片２１と側面板１２ａとの貼り付け強度を向上させることができる。
【００２７】
これらによって、筒状本体１３の下端部の開口を、一対の下面サイドフラップ２８ａ，２８ｂ及び下面メインフラップ２６からなる下面部１５で覆って、強固に且つ安定した状態で閉塞することが可能になり、また内部に物品が収容された筒状本体１３の上端部の開口を、一対の上面サイドフラップ１７ａ，１７ｂ及び上面メインフラップ１８からなる上面部１４で覆って、強固に且つ安定した状態で閉塞することが可能になると共に、六面体形状に組み立てられた包装箱１０の内部に物品を収容することができる。
【００２８】
また、本実施形態の包装箱１０は、上述のように簡便な構成を備えており、組立作業も簡素にすることができるので、効率良く組み立てることが可能になる。つまり、本実施形態の包装箱１０は、ホットメルト装置等を装備した専用の製箱機を要せずに組み立てることができる。
【００２９】
梱包された物品を包装箱１０から取り出すには、図２で示すように、上面メインフラップ１８を開き、第１上部易破断線２２に沿って破ることで、破断部２０ａが破断され、第１上部易破断線２２によって囲まれる破断部２０ａのあった位置から指先を上面サイドフラップ１７ｂの下側に差し込むことが可能になる。
しかる後に、差し込んだ指先によって、上面サイドフラップ１７ｂを持ち上げる力を負荷すれば、上面サイドフラップ１７ｂを容易に開放させることが可能になると共に、さらに両側の上面サイドフラップ１７ａ，１７ｂを開放させて、物品を包装箱１０から容易に取り出すことが可能になる。
【００３０】
本発明の第１の実施の形態に係る包装箱１０によれば、上面サイドフラップ１７ｂが上面メインフラップ１８と略同形の形状を備えており、かつ、上面メインフラップ１８が閉じられた状態（上面部１４が形成された状態）で、第１上部固着片２１が側面板１２ａに接着されていることで、収容した物品に対する悪戯を防止することができる。
【００３１】
また、本発明の第１の実施の形態に係る包装箱１０によれば、第１上部易破断線２２を破断させることで上面部１４を容易に開封できるようにすると共に、一度開封した後も、物品を出し入れしながら、開閉操作をスムーズに行うことができ、また第１上部易破断線２２を破断させた部分を外観上目立たなくして、美観を損なわないようにすることが可能になる。また、折曲線１６ｄが易破断線である場合、上面サイドフラップ１７ｂから第１上部固着片２１を切り離すことで、さらに美観を損なわないようにすることが可能になる。
【００３２】
また、本発明の第１の実施の形態に係る包装箱１０によれば、第１上部易破断線２２が押し込まれて開封された場合は、第１上部易破断線２２が破断していることが、一見して判別できるので、改竄防止機能を効果的に発揮することが可能になる。
また、第１上部易破断線２２を破断させて包装箱１０を開封した後も、上面メインフラップ１８は、そのままの形状を保持しているので、上面メインフラップ１８を容易に開閉しながら、引き続き化粧品用の容器を包装箱１０に収容したり、包装箱１０から取り出したりすることが可能になる。
【００３３】
（第１の実施の形態の変形例）
本発明の第１の実施の形態の変形例に係る包装箱１０は、図４及び５に示すように、第１の実施の形態で示した包装箱１０と比して、第１上部固着片２１の側面板１２ａと接着する面側に接着用切込み９０が設けられる点が異なる。その他については実質的に同様であるので記載を省略する。
【００３４】
接着用切込み９０は、第１上部固着片２１の側面板１２ａと接着する面側に、切込み加工により形成される。
第１上部固着片２１は、図６に示すように、側面板１２ａに設けられた接着剤等からなる接着部９１が接着用切込み９０周辺と接着することで、側面板１２ａと接着される。
【００３５】
第１上部固着片２１は、持ち上げて開封する際に、切込み加工により形成されている接着用切込み９０に表面剥離が生じて、容易に側面板１２ａから剥離することができる。
第１上部固着片２１をそのまま引き上げる場合、ロック用切込み２７及びロック片２９との間で構成するロック機構を容易に外すことができ、上面メインフラップ１８が容易に開けることができる。上面メインフラップ１８を開けた後は、上面サイドフラップ１７ａ，１７ｂを開放させて、物品を包装箱１０から容易に取り出すことが可能になる。
【００３６】
（第２の実施の形態）
本発明の第２の実施の形態に係る包装箱１０は、図７及び８に示すように、第１の実施の形態で示した包装箱１０と比して、第２上部固着片５０及び上面易破断線５１をさらに備える点が異なる。その他については実質的に同様であるので記載を省略する。
【００３７】
第２上部固着片５０は、図７及び８に示すように、上面メインフラップ１８に、折曲線１６ｉを介して側方に突出して設けられていることが好ましい。
第２上部固着片５０は、図７に示すように、上面部１４が形成された状態で、第１上部固着片２１と重ねて側面板１２ａに接着されている。
【００３８】
第２上部固着片５０が第１上部固着片２１と重なって側面板１２ａに接着する場合、第２上部固着片５０と側面板１２ａとの接着面積を確保するという観点から、第１上部固着片２１の面積は、第２上部固着片５０の面積より小さいことが好ましい。上記観点に加えて、第１上部固着片２１と側面板１２ａとの接着面積を確保するという観点から、第１上部固着片２１の面積は、第２上部固着片５０の面積に対して２０％以上８０％以下であることが好ましく、２５％以上７０％以下であることがより好ましく、３０％以上６０％以下であることが更に好ましい。
【００３９】
第１上部固着片２１の面積を上記範囲にするための手段として、相似的に面積を小さくすることも可能であるが、第１上部固着片２１を異なる形状とすることも可能である。第１上部固着片２１を異なる形状とする具体例として、図９（ａ）に示すように、第１上部固着片２１ａは、貫通穴７０を有する形状とすることが挙げられる。又は、図９（ｂ）に示す第１上部固着片２１ｂは、折曲線１６ｄから対抗する端部までの長さを、第２上部固着片５０の長さの略半分とし、先端が曲線によりなる形状とすることが挙げられる。さらに、図９（ｃ）及び（ｄ）に示す第１上部固着片２１ｃ，２１ｄは、図９（ａ）及び（ｂ）で示したそれぞれの第１上部固着片２１ａ，２１ｂの形状の左右半分の形状とする例も挙げられる。
図９で示す第１上部固着片２１ａ〜２１ｄの根本部分には、段差部７４が設けられていることが好ましい。段差部７４が設けられていることで、折曲線１６ｄの幅を短くすることができ、第１上部固着片２１ａ〜２１ｄを折り込む際に生じるズレを低減し、第１上部固着片２１ａ〜２１ｄの接着工程を円滑に行うことができる。段差部７４による段差の高さは、折曲線１６ｄから１〜２ｍｍであることが好ましい。
【００４０】
また、第２上部固着片５０が第１上部固着片２１と重なって側面板１２ａに接着するという観点から、折り曲げた第１上部固着片２１の反発力が小さい形状とすることが好ましい。折り曲げた第１上部固着片２１の反発力を小さくする形状の具体例として、図１０及び図１１に示す形状が挙げられる。図１０（ａ）及び図１１（ａ）は、折曲線１６ｄに亘って切り抜き部分７１を有する第１上部固着片２１ａ，２１ｂである。図１０（ｂ）及び図１１（ｂ）は、折曲線１６ｄに亘って切り抜き部分７１を有する第１上部固着片２１ａ，２１ｂであり、切り抜き部分７１にテーパを設けてさらに折曲線１６ｄを短くして、反発力を低減した第１上部固着片２１ａ，２１ｂである。また、図１０（ｃ）及び図１１（ｄ）は、折曲線１６ｄに切込み７２を入れることで反発力を低減した第１上部固着片２１である。
図１０及び図１１で示すような第１上部固着片２１ａ，２１ｂの根本部分には、段差部７４が設けられていることが好ましい。段差部７４が設けられていることで、折曲線１６ｄの幅を短くすることができ、第１上部固着片２１ａ，２１ｂを折り込む際に生じるズレを低減し、第１上部固着片２１ａ，２１ｂの接着工程を円滑に行うことができる。段差部７４による段差の高さは、折曲線１６ｄから１〜２ｍｍであることが好ましい。
【００４１】
第１上部固着片２１及び第２上部固着片５０を効率よく側面板１２ａに接着するという観点から、図１２（ａ）及び（ｂ）に示すように、側面板１２ａには、第２上部固着片５０が接着される箇所における、第１上部固着片２１を有しない箇所（例えば、切り抜き部分７１）において、エンボス部分７３を備えることが好ましい。
エンボス部分７３は、第１上部固着片２１を有しない箇所と側面板１２ａとの段差（第１上部固着片２１の厚み分）を軽減することに寄与し、第２上部固着片５０と側面板１２ａとの接着面積を確保し、貼り付け強度を向上させることができる。
エンボス部分７３の形状は、種々の形状を取ることができ、具体例として、図１３（ａ）に示すドット形状、図１３（ｂ）に示す斜線形状、図１３（ｃ）に示す格子形状等が挙げられる。エンボス部分７３は、周知のエンボス加工技術によって形成することができる。
【００４２】
上面メインフラップ１８には、第１上部易破断線２２と対応し、指の先端部が収まる大きさの凹形状に延設する上面易破断線５１が設けられ、上面易破断線５１の両端部５１ａ、５１ｂが上面メインフラップ１８の側縁部に接続する又は上面易破断線５１の両端部５１ａ、５１ｂが上面サイドフラップ１８の差込みフラップの折曲線と側縁部に接続することが好ましい。
本実施形態の包装箱１０に上面易破断線５１が設けられていることによって、開封時に上面易破断線５１に沿って破断させることで、初めて開封することができ、かつ開封作業を容易にすることができる。そして、上面易破断線５１が破断された結果により、包装箱１０が開封されたことが認識できる。
【００４３】
本実施形態では、裁断された図１４に示すブランク２３において、上面メインフラップ１８以外については、図３と実質的に同様であるので省略する。
以下に、図１４に示すブランク２３における上面メインフラップ１８について説明する。
【００４４】
本実施形態では、上面メインフラップ１８の右側の側縁部から側方に突出して、第２上部固着片５０が、折曲線１６ｉを介して連接して設けられている。第２上部固着片５０は、例えば、指の先端部が収まる大きさであることが好ましく、略直角台形の形状を備えており、差込みフラップ１８ａと近接する部分に設けられている。
上面メインフラップ１８の側縁部に、一方の端部５１aが接続し、当該上面メインフラップ１８と差込みフラップ１８ａとの間の折曲線１６ｃに他方の端部５１ｂが接続する、例えばミシン目等からなる上面易破断線５１が設けられている。上面メインフラップ１８の上端部と側縁部に、両端部５１ａ，５１ｂが接続する上面易破断線５１は、本実施形態では、例えば、楕円形を半分にしたような形状の破断部２０ｂを形成するように、これの外周に沿って設けられている。破断部２０ｂは、上面メインフラップ１８の開封性を良好にするために、指の先端部が収まる大きさであることが好ましく、例えば、縦幅が１５ｍｍ程度、横幅が３５ｍｍ程度の大きさであることが好ましい。また、本実施形態では、上面易破断線５１によって周囲を囲まれる破断部２０ｂは、上面メインフラップ１８の差込みフラップ１８ａが内側に差し込まれる、他方の正面板１１ｂに近接する部分に設けられている。上面易破断線５１が、他方の正面板１１ｂに近接する部分に設けられていることにより、上面易破断線５１を破断させて上面サイドフラップ１７ｂを開封する操作を、スムーズに行うことが可能になる。また、包装箱１０において剛性が高くなっている角部分に上面易破断線５１及び破断部２０ｂが配設されるので、包装箱１０が比較的薄いブランク２３によって形成された場合であっても、撓んでしまうことなく、上面易破断線５１に沿って破ることが容易となる。
【００４５】
本実施形態では、包装箱１０は、上述のブランク２３を用いて、好ましくは公知の封緘装置（製箱機）を使用した簡単な工程によって、物品を収容した立体形状に容易に組み立てることができる。
本実施形態では、下面部１５を閉塞した筒状本体１３の内部に物品を収容したら、筒状本体１３の上端部の開口を、一対の上面サイドフラップ１７ａ，１７ｂと上面メインフラップ１８とを用いて閉塞する。具体的には、側面板１２ａの上方に連接する上面サイドフラップ１７ａを、折曲線１６ａを介して内側に折り曲げ、その後に、側面板１２ｂの上方に連接する上面サイドフラップ１７ｂを、折曲線１６ａを介して内側に折り曲げる。また、上面メインフラップ１８の先端に折曲線１６ｃを介して連接する差込みフラップ１８ａを、他方の正面板１１ｂの上端部分の内側面に沿って差し込んで、一対の上面サイドフラップ１７ａ，１７ｂの基端部に形成されたロック片２９に各々係止する。そして、上面メインフラップ１８に連接する第２上部固着片５０の接着面である一面に接着剤を塗着する。その後に、第１上部固着片２１を、折曲線１６ｄを介して折り曲げ、次いで、第２上部固着片５０を、折曲線１６ｉを介して折り曲げ、第１上部固着片２１及び貫通穴７０を通じて側面板１２ａに重ねて接着する。
この接着剤を塗布する工程や接着工程は、同じ一方の側面板１２ａに接着する第１上部固着片２１及び第２上部固着片５０において、一度に行うことができ、更にその後に圧着ガイド又は圧着ローラーによる圧着工程を効率良く、スムーズに行うことができる。
【００４６】
梱包された物品を包装箱１０から取り出すには、図７で示す状態において、上面易破断線５１及び第１上部易破断線２２に沿って破ることで、破断部２０ａ，２０ｂが破断される。破断部２０ｂが破断したことによって、上面メインフラップ１８を開けることが可能となる。
上面メインフラップ１８を開くことで、第１上部易破断線２２によって囲まれる破断部２０ａのあった位置から指先を上面サイドフラップ１７ｂの下側に差し込むことが可能になる。
しかる後に、差し込んだ指先によって、上面サイドフラップ１７ｂを持ち上げる力を負荷すれば、上面サイドフラップ１７ｂを容易に開放させることが可能になると共に、さらに両側の上面サイドフラップ１７ａ，１７ｂを開放させて、物品を包装箱１０から容易に取り出すことが可能になる。
【００４７】
このように構成された本発明の第２の実施の形態に係る包装箱１０でも、第１の実施の形態に係る包装箱１０と同様の効果を得ることができる。
【００４８】
更に、第２の実施の形態に係る包装箱１０によれば、第２上部固着片５０を用いて、上面メインフラップ１８と側面板１２ａとが接着されていることで、収容した物品に対する悪戯をより強固に防止することができる。
【００４９】
（第３の実施の形態）
本発明の第３の実施の形態に係る包装箱１０は、図１５及び１６に示すように、第２の実施の形態で示した包装箱１０と比して、第１側部易破断線５２及び第２上部易破断線５３がさらに設けられている点が異なる。その他については実質的に同様であるので記載を省略する。
【００５０】
第１側部易破断線５２は、図１５及び１６に示すように、側面板１２ａの上端部分に、指の先端部が収まる大きさの凹形状に延設して設けられていることが好ましい。
第２上部易破断線５３は、図１５及び１６に示すように、第１上部易破断線２２と対応し、下側に重なる上面サイドフラップ１７ａに、指の先端部が収まる大きさの凹形状に延設して設けられていることが好ましい。
第１側部易破断線５２の一方の端部５２ａが第２上部易破断線５３の一方の端部５３ａと接続する。
【００５１】
本実施形態の包装箱１０に第１側部易破断線５２、第１上部易破断線２２及び第２上部易破断線５３が設けられていることによって、開封時に第１側部易破断線５２、第１上部易破断線２２及び第２上部易破断線５３に沿って破断させることで、初めて開封することができ、かつ開封作業を容易にすることができる。そして、第１側部易破断線５２、第１上部易破断線２２及び第２上部易破断線５３が破断された結果により、包装箱１０が開封されたことが認識できる。
【００５２】
本実施形態では、裁断された図１７に示すブランク２３において、側面板１２ａ及び上面サイドフラップ１７ａ以外については、図３と実質的に同様であるので省略する。
以下に、図１７に示すブランク２３における側面板１２ａ及び上面サイドフラップ１７ａについて説明する。
【００５３】
一方の側面板１２ａの上端部分には、当該側面板１２ａと上面サイドフラップ１７ａとの間の折曲線１６ａに両端部５２ａ，５２ｂが接続する、例えばミシン目等からなる第１側部易破断線５２が設けられている。側面板１２ａと上面サイドフラップ１７ａとの間の折曲線１６ａに、両端部５２ａ，５２ｂが接続する第１側部易破断線５２は、本実施形態では、例えば、略直角台形状の破断部２０ｃを形成するように、これの外周に沿って、略直角台形状の凹形状に延設して設けられている。破断部２０ｃは、上面メインフラップ１８の開封性を良好にするために、指の先端部が収まる大きさであることが好ましく、例えば、縦幅が１５ｍｍ程度、横幅が２０ｍｍ程度の大きさであることが好ましい。また、本実施形態では、第１側部易破断線５２によって周囲を囲まれる破断部２０ｃは、上面メインフラップ１８の差込みフラップ１８ａが内側に差し込まれる、他方の正面板１１ｂに近接する部分に設けられている。第１側部易破断線５２及び破断部２０ｃが、他方の正面板１１ｂに近接する部分に設けられていることにより、第１側部易破断線５２を破断させて上面部１４を開封する操作を、さらにスムーズに行うことが可能になる。また、第１側部易破断線５２及び破断部２０ｃが、他方の正面板１１ｂに近接する部分に設けられていることにより、包装箱１０が閉塞されている状態で、上面メインフラップ１８が接着されていない部分の隙間を介して指を入れることで、収容された物品が、無理やり取り出されることになるのを効果的に回避することが可能になると共に、包装箱１０において剛性が高くなっている角部分に第１側部易破断線５２及び破断部２０ｃが配設されるので、包装箱１０が比較的薄いブランク２３によって形成された場合であっても、撓んでしまうことなく、第１側部易破断線５２に沿って破ることで容易となる。
【００５４】
一方の側面板１２ａの上方には、折曲線１６ａを介して、略直角台形の形状を備える一方の上面サイドフラップ１７ａが連接している。一方の上面サイドフラップ１７ａには、側面板１２ａの上端部分に形成された第１側部易破断線５２の端部５２ａに接続して、第２上部易破断線５３が、上面サイドフラップ１７ａの、斜辺部となった他方の正面板１１ｂ側の側縁部（周縁部）に到るように延設して設けられている。側面板１２ａと上面サイドフラップ１７ａとの間の折曲線１６ａに一端部５３ａが接続し、上面サイドフラップ１７ａの側縁部に他端部５３ｂが接続する第２上部易破断線５３は、本実施形態では、例えば、略直角台形状の破断部２０ｄを形成するように、これの外周に沿って設けられている。破断部２０ｄは、上面メインフラップ１８の開封性を良好にするために、指の先端部が収まる大きさであることが好ましく、例えば、縦幅が１５ｍｍ程度、横幅が２０ｍｍ程度の大きさであることが好ましい。
破断部２０ｄは、折曲線１６ａを介して、破断部２０ｃと連続して設けられている。
【００５５】
本実施形態では、包装箱１０は、上述のブランク２３を用いて、好ましくは公知の封緘装置（製箱機）を使用した簡単な工程によって、物品を収容した立体形状に容易に組み立てることができる。
本実施形態では、下面部１５を閉塞した筒状本体１３の内部に物品を収容したら、筒状本体１３の上端部の開口を、一対の上面サイドフラップ１７ａ，１７ｂと上面メインフラップ１８とを用いて閉塞する。具体的には、側面板１２ａの上方に連接する上面サイドフラップ１７ａを、折曲線１６ａを介して内側に折り曲げ、その後に、側面板１２ｂの上方に連接する上面サイドフラップ１７ｂを、折曲線１６ａを介して内側に折り曲げる。また、上面メインフラップ１８の先端に折曲線１６ｃを介して連接する差込みフラップ１８ａを、他方の正面板１１ｂの上端部分の内側面に沿って差し込んで、一対の上面サイドフラップ１７ａ，１７ｂの基端部に形成されたロック片２９に各々係止する。そして、上面サイドフラップ１７ｂの上端部に連接する第１上部固着片２１ｂの接着面である一面、及び上面メインフラップ１８に連接する第２上部固着片５０の接着面である一面に接着剤を塗着する。その後に、第１上部固着片２１を、折曲線１６ｄを介して折り曲げ、第１上部固着片２１ｂを側面板１２ａに接着する。次いで、第２上部固着片５０を、折曲線１６ｉを介して内側に折り曲げ、一方の側面板１２ａの上端部分に接着された第１上部固着片２１ｂ上に、重ねて接着する。
この接着剤を塗布する工程や接着工程は、同じ一方の側面板１２ａに接着する第１上部固着片２１ｂ及び第２上部固着片５０において、一度に行うことができる。
【００５６】
梱包された物品を包装箱１０から取り出すには、図１５で示す状態において、第１側部易破断線５２によって囲まれる破断部２０ｃに、指先によって押し込む力を負荷する。これによって、第１側部易破断線５２が破断するので、破断部２０ｃが包装箱１０の内側に押し込まれる。そして、差し込んだ指先によって、上面メインフラップ１８及び上面サイドフラップ１７ｂを持ち上げる力を負荷すれば、第１上部易破断線２２及び第２上部易破断線５３を破断させながら破断部２０ａ，２０ｄを開放し、上面メインフラップ１８を開放させることが可能になる
上面メインフラップ１８を開くことで、図１６で示す状態になり、第１上部易破断線２２によって囲まれる破断部２０ａのあった位置から指先を上面サイドフラップ１７ｂの下側に差し込むことが可能になる。
しかる後に、差し込んだ指先によって、上面サイドフラップ１７ｂを持ち上げる力を負荷すれば、上面サイドフラップ１７ｂを容易に開放させることが可能になると共に、さらに両側の上面サイドフラップ１７ａ，１７ｂを開放させて、物品を包装箱１０から容易に取り出すことが可能になる。
【００５７】
このように構成された本発明の第３の実施の形態に係る包装箱１０でも、第１及び２の実施の形態に係る包装箱１０と同様の効果を得ることができる。
【００５８】
更に、第３の実施の形態に係る包装箱１０によれば、第２上部固着片５０を用いて、上面メインフラップ１８と側面板１２ａとが接着されていることで、収容した物品に対する悪戯をより強固に防止することができる。
【００５９】
（第３の実施の形態の変形例）
本発明の第３の実施の形態の変形例に係る包装箱１０は、図１８及び１９に示すように、第３の実施の形態で示した包装箱１０と比して、第２上部固着片５０の側面板１２ａと接着する面側に接着用切込み９０が設けられる点が異なる。その他については実質的に同様であるので記載を省略する。
【００６０】
接着用切込み９０は、第２上部固着片５０の側面板１２ａと接着する面側に、切込み加工により形成される。
第２上部固着片５０は、図２０に示すように、側面板１２ａに設けられた接着剤等からなる接着部９１が接着用切込み９０周辺と接着することで、側面板１２ａと接着される。
第２上部固着片５０が側面板１２ａと接着されることによって、第１上部固着片２１ｂが側面板１２ａと接着されていなくても、第２上部固着片５０と側面板１２ａとの間に挟持される。第１上部固着片２１ｂが挟持されることにより、上面サイドフラップ１７ｂが引き抜かれにくくなり、改竄防止の効果を高めることができる。
【００６１】
第２上部固着片５０は、持ち上げることによって、切込み加工により形成されている接着用切込み９０に表面剥離が生じて、容易に側面板１２ａから剥離することができる。
また、図１９に示すように、第２上部固着片５０を上面メインフラップ１８から切り離すことによって、側面板１２ａと接着されていない第１上部固着片２１ｂが自然に露出し、容易に上面メインフラップ１８及び上面サイドフラップ１７ａ，１７ｂを開放させて、物品を包装箱１０から容易に取り出すことが可能になる。
【００６２】
（第４の実施の形態）
本発明の第４の実施の形態に係る包装箱１０は、図２１及び２２に示すように、第１の実施の形態で示した包装箱１０と比して、下部固着片６０がさらに設けられている点が異なる。その他については実質的に同様であるので記載を省略する。
【００６３】
下部固着片６０は、下面部１５が形成された状態で、側面板１２ａに接着されている。
本実施形態では、下面サイドフラップ２８ｂには、下部固着片６０の折曲線１６ｊを囲む下部易破断線６１が設けられ、下部易破断線６１の両端部６１ａ，６１ｂが上面サイドフラップの下部固着片６０が設けられた端縁に接続する又は下部易破断線６１の両端部６１ａ，６１ｂが上面サイドフラップの下部固着片６０が設けられた端縁と正面板１１ｂ側の端縁に接続することが好ましい。
包装箱１０に下部易破断線６１が設けられていることによって、下面部１５を開封時に下部易破断線６１に沿って破断させることで、初めて下面部１５を開封することができ、かつ開封作業を容易にすることができる。そして、下部易破断線６１が破断された結果により、包装箱１０が開封されたことが認識できる。
【００６４】
本実施形態では、裁断された図２３に示すブランク２３において、下面メインフラップ２６及び下部固着片６０以外については、図３と実質的に同様であるので省略する。
以下に、図２３に示すブランク２３における下面メインフラップ２６及び下部固着片６０について説明する。
【００６５】
他方の側面板１２ｂの下方には、折曲線１６ｈを介して、下面メインフラップ２６の長さ（折曲線１６ｅから折曲線１６ｆまでの距離）と略同長である他方の下面サイドフラップ２８ｂが連接している。下面サイドフラップ２８ｂが、下面メインフラップ２６の長さと略同長であることにより、包装箱１０が閉塞されている状態で、下面メインフラップ２６の側縁部から、指を入れる等して収容された物品が無理やり取り出される等の悪戯を効果的に回避することが可能になる。
本実施形態では、下面サイドフラップ２８ｂの一端部（例えば、折曲線１６ｈと対向する端部）から突出して、下部固着片６０が、折曲線１６ｊを介して連接して設けられている。下部固着片６０は、例えば略直角台形の形状を備えている。折曲線１６ｊは、下部固着片６０を切り離すためのミシン目加工が施された易破断線であってもよい。
下面サイドフラップ２８ｂには、下部固着片６０の折曲線１６ｊを囲む、例えば、ミシン目等からなる下部易破断線６１が設けられている。下面サイドフラップ２８ｂの上端部と側縁部に、両端部６１ａ，６１ｂが接続する下部易破断線６１は、本実施形態では、例えば、楕円形を半分にしたような形状の破断部２０ｅを形成するように、これの外周に沿って設けられている。破断部２０ｅは、下面サイドフラップ２８ｂの開封性を良好にするために、指の先端部が収まる大きさであることが好ましく、例えば、縦幅が１５ｍｍ程度、横幅が３５ｍｍ程度の大きさであることが好ましい。また、本実施形態では、下部易破断線６１によって周囲を囲まれる破断部２０ｅは、下面メインフラップ２６の差込みフラップ２６ａが内側に差し込まれる、他方の正面板１１ｂに近接する部分に設けられている。下部易破断線６１が、他方の正面板１１ｂに近接する部分に設けられていることにより、下部易破断線６１を破断させて下面サイドフラップ２８ｂを開封する操作を、スムーズに行うことが可能になる。また、包装箱１０において剛性が高くなっている角部分に下部易破断線６１及び破断部２０ｅが配設されるので、包装箱１０が比較的薄いブランク２３によって形成された場合であっても、撓んでしまうことなく、下部易破断線６１に沿って破ることが容易となる。
【００６６】
本実施形態では、包装箱１０は、上述のブランク２３を用いて、好ましくは公知の封緘装置（製箱機）を使用した簡単な工程によって、物品を収容した立体形状に容易に組み立てることができる。
本実施形態では、下面部１５を閉塞した筒状本体１３の内部に物品を収容したら、筒状本体１３の上端部の開口を、一対の上面サイドフラップ１７ａ，１７ｂと上面メインフラップ１８とを用いて閉塞する。具体的には、側面板１２ａの上方に連接する上面サイドフラップ１７ａを、折曲線１６ａを介して内側に折り曲げ、その後に、側面板１２ｂの上方に連接する上面サイドフラップ１７ｂを、折曲線１６ａを介して内側に折り曲げる。また、上面メインフラップ１８の先端に折曲線１６ｃを介して連接する差込みフラップ１８ａを、他方の正面板１１ｂの上端部分の内側面に沿って差し込んで、一対の上面サイドフラップ１７ａ，１７ｂの基端部に形成されたロック片２９に各々係止する。そして、上面サイドフラップ１７ｂに連接する第１上部固着片２１の接着面である一面、及び下面サイドフラップ２８ｂに連接する下部固着片６０の接着面である一面に接着剤を塗着する。その後に、第１上部固着片２１を、折曲線１６ｄを介して折り曲げ、第１上部固着片２１を側面板１２ａに接着する。次いで、下部固着片６０を、折曲線１６ｊを介して折り曲げ、下部固着片６０を側面板１２ａに接着する。
この接着剤を塗布する工程や接着工程は、同じ一方の側面板１２ａに接着する第１上部固着片２１及び下部固着片６０において、一度に行うことができ、更にその後に圧着ガイド又は圧着ローラーによる圧着工程を効率良く、スムーズに行うことができる。
なお、接着工程及びその後の圧着工程を容易にし、生産効率を高めるために、第１上部固着片２１及び下部固着片６０が、同じ側面板１２ａに接着されていることが好ましい。
【００６７】
梱包された物品を包装箱１０の上面部１４から取り出すには、図２２で示すように、上面メインフラップ１８を開き、第１上部易破断線２２に沿って破ることで、破断部２０ａが破断され、第１上部易破断線２２によって囲まれる破断部２０ａのあった位置から指先を上面サイドフラップ１７ｂの下側に差し込むことが可能になる。
しかる後に、差し込んだ指先によって、上面サイドフラップ１７ｂを持ち上げる力を負荷すれば、上面サイドフラップ１７ｂを容易に開放させることが可能になると共に、さらに両側の上面サイドフラップ１７ａ，１７ｂを開放させて、物品を包装箱１０の上面部１４から容易に取り出すことが可能になる。
【００６８】
梱包された物品を包装箱１０の下面部１５から取り出すには、下面メインフラップ２６を開き、下部易破断線６１に沿って破ることで、破断部２０ｅが破断され、下部易破断線６１によって囲まれる破断部２０ｅのあった位置から指先を下面サイドフラップ２８ｂの下側に差し込むことが可能になる。
しかる後に、差し込んだ指先によって、下面サイドフラップ２８ｂを持ち上げる力を負荷すれば、下面サイドフラップ２８ｂを容易に開放させることが可能になると共に、さらに両側の下面サイドフラップ２８ａ，２８ｂを開放させて、物品を包装箱１０の下面部１５から容易に取り出すことが可能になる。
【００６９】
このように構成された本発明の第４の実施の形態に係る包装箱１０でも、第１の実施の形態に係る包装箱１０と同様の効果を得ることができる。
【００７０】
更に、第４の実施の形態に係る包装箱１０によれば、下部固着片６０が側面板１２ａに接着されていることで、下面部１５からの収容した物品に対する悪戯を防止することができる。
更に、第４の実施の形態に係る包装箱１０によれば、下部易破断線６１を破断させることで容易に下面部１５を開封できるようにすると共に、一度開封した後も、物品を出し入れしながら、開閉操作をスムーズに行うことができ、また下部易破断線６１を破断させた部分を外観上目立たなくして、美観を損なわないようにすることが可能になる。
【００７１】
（その他の実施の形態）
本発明は上記実施形態に限定されることなく種々の変更が可能である。例えば、図２４に示すように、側面板１２ａに貼り付けられた第１上部固着片２１の接着強度を付加し、包装箱１０が未開封であることを知らしめる識別度向上のための封印シール８０が貼付されている形態であってもよい。封印シール８０は、第１上部固着片２１、第２上部固着片５０及び下部固着片６０の少なくとも１つに、貼付されている形態であることが好ましい。封印シール８０は、矩形、台形、円形、楕円形、多角形等の様々な形状を取り得る。封印シール８０を貼付することによって、改竄防止の効果を高めることができる。
【００７２】
本実施形態では、裁断された図２５に示すブランク２３において、側面板１２ａ、上面メインフラップ１８及び上面サイドフラップ１７ｂ以外については、図３と実質的に同様であるので省略する。
以下に、図２５に示すブランク２３における側面板１２ａ、上面メインフラップ１８及び上面サイドフラップ１７ｂについて説明する。
【００７３】
側面板１２ａには、封印シール８０を剥がした時に、側面板１２ａの表面の紙も一緒に剥がれ、不正開封を識別できると共に再封されにくい等の効果を与える切込み７６が設けられている。
【００７４】
上面メインフラップ１８には、封印シール８０を剥がした時に、側面板１２ａの表面の紙も一緒に剥がれ、不正開封を識別できると共に再封されにくい等の効果を与える切込み７７が設けられている。
【００７５】
上面サイドフラップ１７ｂには、一端部（例えば、折曲線１６ａと対向する端部）から突出した第１上部固着片２１が、折曲線１６ｄを介して連接して設けられている。折曲線１６ｄは、第１上部固着片２１を切り離すためのミシン目加工が施された易破断線であることが好ましい。第１上部固着片２１は、封印シール８０を貼付されると、開封させることが困難になるため、折曲線１６ｄを破断して開封することが容易となるように、封印シール８０が貼付されない張出し部を有することが好ましい。張出し部８１を有する第１上部固着片２１としては、図２６（ａ）〜（ｄ）に示すような、種々の形態のものを採用することができる。張出し部８１を有する第１上部固着片２１とすることによって、第１上部固着片２１上に封印シール８０が貼付されていても、張出し部８１をめくって引っ張ることで折曲線１６ｄを容易に破ることができ、開封作業を容易に行うことができる。
また、第１上部固着片２１に貼付する封印シール８０において、折曲線１６ｄの位置に相当する折り曲げ位置にはミシン目が施されていることが好ましい。第１上部固着片２１に封印シール８０が貼付された場合であっても、封印シール８０にミシン目が施されていることによってミシン目で切断することができ、開封作業を容易に行うことができる。
【００７６】
封印シール８０において、側面板１２ａから上面メインフラップ１８へ渡る折り曲げ位置に、ミシン目が備えられている形態であることが好ましい。また、図２７に示すように、封印シール８０において、第１上部固着片２１の下端の近傍に相当する位置に、ミシン目８２がさらに備えられている形態であることが好ましい。封印シール８０にミシン目が備えられていることにより、第１上部固着片２１と一緒に封印シール８０を切ることができ、封印シール８０を容易に剥がすことが可能となる。
【産業上の利用可能性】
【００７７】
本発明の包装箱は、化粧品類、薬品類、菓子類、文房具類や、その他の物品を収容する包装箱として好適に用いられる。
【符号の説明】
【００７８】
１０…包装箱
１１ａ，１１ｂ…正面板
１２ａ，１２ｂ…側面板
１３…筒状本体
１４…上面部
１５…下面部
１６ａ〜１６ｊ…折曲線
１７ａ，１７ｂ…上面サイドフラップ
１８…上面メインフラップ
１８ａ…差込みフラップ
２０ａ〜２０ｅ…破断部
２１，２１ａ〜２１ｄ…第１上部固着片
２２…第１上部易破断線
２３…ブランク
２４…縦方向折曲線
２５…接着接合片
２６…下面メインフラップ
２６ａ…差込みフラップ
２７…ロック用切込み
２８ａ，２８ｂ…下面サイドフラップ
２９…ロック片
３６…境界線
３７…看板部
５０…第２上部固着片
５１…上面易破断線
５２…側部易破断線
５３…第２上部易破断線
６０…下部固着片
６１…下部易破断線
７０…貫通穴
７１…切り抜き部分
７２…切込み
７３…エンボス部分
７４…段差部
７６，７７…切込み
７８…第１シール部易破断線
７９…第２シール部易破断線
８０…封印シール
８１…張出し部
８２…ミシン目
９０…接着用切込み
９１…接着部
【図１】
2017190187.tif 000003
【図２】
2017190187.tif 000004
【図３】
2017190187.tif 000005
【図４】
2017190187.tif 000006
【図５】
2017190187.tif 000007
【図６】
2017190187.tif 000008
【図７】
2017190187.tif 000009
【図８】
2017190187.tif 000010
【図９】
2017190187.tif 000011
【図１０】
2017190187.tif 000012
【図１１】
2017190187.tif 000013
【図１２】
2017190187.tif 000014
【図１３】
2017190187.tif 000015
【図１４】
2017190187.tif 000016
【図１５】
2017190187.tif 000017
【図１６】
2017190187.tif 000018
【図１７】
2017190187.tif 000019
【図１８】
2017190187.tif 000020
【図１９】
2017190187.tif 000021
【図２０】
2017190187.tif 000022
【図２１】
2017190187.tif 000023
【図２２】
2017190187.tif 000024
【図２３】
2017190187.tif 000025
【図２４】
2017190187.tif 000026
【図２５】
2017190187.tif 000027
【図２６】
2017190187.tif 000028
【図２７】
2017190187.tif 000029